(57)【要約】【課題】３軸のリンク機構を用いて発光部をポップアップ動作させる発光装置であっても、発光位置にある発光部を容易に押し込んで撮像装置の装置本体内の収納位置に収納することができる技術を提供する。【解決手段】発光装置は、撮像装置の装置本体１に第１軸部４を介して回動可能に支持される第１リンク部材５と、第１リンク部材５に第２軸部６を介して回動可能に支持される第２リンク部材７と、第２リンク部材７に第３軸部８を介して回動可能に支持され、装置本体１に収納される収納位置と装置本体１から突出した発光位置との間を移動する発光部９と、第１リンク部材５、第２リンク部材７および発光部９をそれぞれ発光位置に向けて付勢する付勢手段１５〜１７と、を備える。第２リンク部材７には、発光部９が発光位置から収納位置へ移動する際に、装置本体１に支持された規制部１４ｂに係合して、第１リンク部材５の回動を一時的に規制する係合部１２ａが設けられている。【選択図】図４
2018036491.tif 000002
【特許請求の範囲】
【請求項１】
撮像装置の装置本体に第１軸部を介して回動可能に支持される第１リンク部材と、
前記第１リンク部材に第２軸部を介して回動可能に支持される第２リンク部材と、
前記第２リンク部材に第３軸部を介して回動可能に支持され、前記装置本体に収納される収納位置と前記装置本体から突出した発光位置との間を移動する発光部と、
前記第１リンク部材、前記第２リンク部材および前記発光部をそれぞれ前記発光位置に向けて付勢する付勢手段と、を備え、
前記第２リンク部材には、前記発光部が前記発光位置から前記収納位置へ移動する際に、前記装置本体に支持された規制部に係合して、前記第１リンク部材の回動を一時的に規制する係合部が設けられていることを特徴とする発光装置。
【請求項２】
前記規制部は、前記発光部が前記収納位置から前記発光位置に移動する際に、前記第２リンク部材の前記係合部に干渉しない位置に移動可能に設けられていることを特徴とする請求項１に記載の発光装置。
【請求項３】
前記装置本体に回動可能に支持され、前記収納位置にある前記発光部に係合して、前記発光部を前記収納位置に保持するロック部材を備え、
前記ロック部材には、前記規制部が設けられていることを特徴とする請求項１又は２に記載の発光装置。
【請求項４】
発光装置を備える撮像装置であって、
前記発光装置として、請求項１乃至３のいずれか一項に記載の発光装置を備えることを特徴とする撮像装置。
【発明の詳細な説明】
【技術分野】
【０００１】
本発明は、発光部が収納位置と発光位置との間を移動するストロボユニット等の発光装置、及び当該発光装置を備えるデジタルカメラ等の撮像装置に関する。
【背景技術】
【０００２】
デジタルカメラ等の撮像装置では、発光部を装置本体の内部の収納位置と装置本体から突出した発光位置との間で移動させる、所謂ポップアップ式のストロボユニットを備えるものがある。
【０００３】
ところで、このようなストロボユニットでは、レンズ鏡筒が比較的大径の小型のデジタルカメラ等の場合、レンズ鏡筒の先端部でストロボ光が遮られて被写体に届かなくなる、所謂ケラレを防止する必要がある。このため、発光部を装置本体の収納位置から発光位置に移動させる機構として、コンパクトな収納状態と大きなポップアップ量を両立させるため、３軸のリンク機構を用いて発光部を装置本体からより高く被写体側へ位置させる技術が提案されている（特許文献１）。
【先行技術文献】
【特許文献】
【０００４】
【特許文献１】特開２０１４−１２６７６９号公報
【発明の概要】
【発明が解決しようとする課題】
【０００５】
しかし、上記特許文献１では、３軸のリンク機構を用いているため、発光位置にある発光部を押し込んで装置本体内に収納する際、発光部が３自由度（カメラ前後方向、カメラ上下方向および回転方向）で動くことになる。このため、２軸のリンク機構を用いる場合に比べて発光部をスムースに収納位置に押し込むことが難しい。
【０００６】
そこで、本発明は、３軸のリンク機構を用いて発光部をポップアップ動作させる発光装置であっても、発光位置にある発光部を容易に押し込んで撮像装置の装置本体内の収納位置に収納することができる技術を提供することを目的とする。
【課題を解決するための手段】
【０００７】
上記目的を達成するために、本発明の発光装置は、撮像装置の装置本体に第１軸部を介して回動可能に支持される第１リンク部材と、前記第１リンク部材に第２軸部を介して回動可能に支持される第２リンク部材と、前記第２リンク部材に第３軸部を介して回動可能に支持され、前記装置本体に収納される収納位置と前記装置本体から突出した発光位置との間を移動する発光部と、前記第１リンク部材、前記第２リンク部材および前記発光部をそれぞれ前記発光位置に向けて付勢する付勢手段と、を備え、前記第２リンク部材には、前記発光部が前記発光位置から前記収納位置へ移動する際に、前記装置本体に支持された規制部に係合して、前記第１リンク部材の回動を一時的に規制する係合部が設けられていることを特徴とする。
【発明の効果】
【０００８】
本発明によれば、３軸のリンク機構を用いて発光部をポップアップ動作させる発光装置であっても、発光位置にある発光部を容易に押し込んで撮像装置の装置本体内の収納位置に収納することができる。
【図面の簡単な説明】
【０００９】
【図１】（ａ）は本発明の撮像装置の実施形態の一例であるデジタルカメラを正面側から見た斜視図、（ｂ）は（ａ）に示すデジタルカメラのストロボユニットの発光部が発光位置にポップアップした状態を示す斜視図である。
【図２】（ａ）はストロボユニットの発光位置にポップアップした状態をカメラ本体の正面側から見た斜視図、（ｂ）は（ａ）の背面側から見た斜視図である。
【図３】ストロボユニットの正面側から見た分解斜視図である。
【図４】発光部が発光位置にあるストロボユニットの右側面図である。
【図５】ストロボユニットの収納動作を説明する図である。
【図６】図５（ｃ）に示す状態から発光部を更に押し込んだときのストロボユニットの収納動作を説明する図である。
【図７】ストロボユニットの収納位置から発光位置へのポップアップ動作を説明する図である。
【図８】ストロボユニットが収納位置から発光位置へとポップアップする動作の途中の状態を示す図である。
【発明を実施するための形態】
【００１０】
以下、図面を参照して、本発明の実施形態の一例を説明する。
【００１１】
図１（ａ）は本発明の撮像装置の実施形態の一例であるデジタルカメラを正面側（被写体側）から見た斜視図、図１（ｂ）は図１（ａ）に示すデジタルカメラのストロボユニットの発光部が発光位置にポップアップした状態を示す斜視図である。
【００１２】
本実施形態のデジタルカメラは、図１に示すように、カメラ本体１の正面側にレンズ鏡筒１ａが設けられ、カメラ本体１の上面部には、レリーズボタン１ｂ及びストロボユニット２等が設けられている。また、カメラ本体１の側面部には、ロック解除レバー３が設けられている。
【００１３】
ストロボユニット２は、発光部９を有しており、発光部９は、収納位置（図１（ａ））と発光位置（図１（ｂ））との間を移動可能に設けられている。収納位置では、発光部９は、後述するトーションばね１５〜１７（図３参照）により発光位置に向けて付勢された状態でロックされ、その上面部がカメラ本体１の上面部と略面一に配置されている。この状態で、ロック解除レバー３を操作すると、発光部９のロックが解除され、発光部９がトーションばね１５〜１７の付勢力により発光位置に向けて移動して図１（ｂ）に示す状態となる。カメラ本体１は、本発明の装置本体の一例に相当し、ストロボユニット２は、本発明の発光装置の一例に相当する。
【００１４】
図２（ａ）はストロボユニット２の発光位置にポップアップした状態をカメラ本体１の正面側から見た斜視図、図２（ｂ）は図２（ａ）の背面側から見た斜視図である。図３は、ストロボユニット２の正面側から見た分解斜視図である。
【００１５】
図２及び図３において、第１リンク部材５は、第１軸部４によってカメラ本体１に対して回動可能に支持され、第２リンク部材７は、第２軸部６によって第１リンク部材５に対して回動可能に支持されている。発光部９は、第３軸部８によって第２リンク部材７に対して回動可能に支持されている。
【００１６】
発光部９は、不図示のキセノン管、反射傘、フレネルレンズ等から構成される発光ユニット１０と、発光ユニット１０を収納する保持部材１１とを備えている。発光ユニット１０には、発光ユニット１０に電力を供給する不図示のフレキシブル基板が接続される。フレキシブル基板は、第２リンク部材７と第２フレキカバー１２との間、及び第１リンク部材５と第１フレキカバー１３とに間をそれぞれ通過してカメラ本体１内部に設けられた不図示のストロボ駆動基板に接続される。
【００１７】
第１軸部４には、第１トーションばね１５が挿通され、第１トーションばね１５の一方の端部は、カメラ本体１に係合され、他方の端部は、第１リンク部材５に係合されて第１リンク部材５を第１軸部４を中心にカメラ本体１の背面側の方向に付勢している。
【００１８】
第２軸部６には、第２トーションばね１６が挿通され、第２トーションばね１６の一方の端部は、第１リンク部材５に係合され、他方の端部は、第２リンク部材に７に係合されて第２リンク部材７を第２軸部６を中心にカメラ本体１の正面側の方向に付勢している。
【００１９】
第３軸部８には、第３トーションばね１７が挿通され、第３トーションばね１７の一方の端部は、第２リンク部材７に係合され、他方の端部は、発光部９の保持部材１１に係合されて発光部９を第３軸部８を中心にカメラ本体１の背面側の方向に付勢している。
【００２０】
図４は、発光部９が発光位置にあるストロボユニット２の右側面図である。前述したように、第１リンク部材５は、第１トーションばね１５により、第１軸部４を中心にカメラ本体１の背面側の方向（図４の時計回り方向）に付勢され、付勢された第１リンク部材５は、係止部５ａがカメラ本体１に当接して図４に示す位置で保持される。
【００２１】
また、第２リンク部材７は、第１トーションばね１５により、第２軸部６を中心にカメラ本体１の正面側の方向（図４の反時計回り方向）に付勢され、付勢された第２リンク部材７は、係止部７ａが第１リンク部材５に当接して図４に示す位置で保持される。更に、発光部９は、第３トーションばね１７により、第３軸部８を中心にカメラ本体１の背面側（図４の時計回り方向）に付勢され、付勢された発光部９は、保持部材１１の係止部１１ａが第２リンク部材７に当接して図４に示す位置で保持される。
【００２２】
また、ロックレバー１４は、カメラ本体１に対して回動穴１４ａ中心に回動可能に支持されており、不図示のバネ部材によってカメラ本体１の正面側の方向（図４の反時計回り方向）に付勢されている。付勢されたロックレバー１４は、カメラ本体１に当接して図４に示す位置で保持される。ロックレバー１４は、本発明のロック部材の一例に相当する。
【００２３】
第２フレキカバー１２に形成された係合部１２ａには、第１カム面１２ｂ、第２カム面１２ｃ及び第３カム面１２ｄが設けられている。第１カム面１２ｂは、第２軸部６を中心とする円弧面で形成されており、第３カム面１２ｄは、第２軸部６を中心とする、第１カム面１２ｂより小径の円弧面で形成されている。第２カム面１２ｃは、第１カム面１２ｂと第２カム面１２ｃをつなぐ面で形成されている。図４に示す状態では、第１カム面１２ｂは、ロックレバー１４に形成された規制部１４ｂに当接している。
【００２４】
次に、図４及び図５を参照して、ストロボユニット２の収納動作について説明する。図４の状態からストロボユニット２をカメラ本体１の内部に収納する際には、発光部９を第１〜３トーションばね１５〜１７の付勢力に抗して押し込む。その際、発光部９が第３トーションばね１７の付勢力に抗して第３軸部８を中心に反時計回り方向に回動するとともに、第２リンク部材７が第２トーションばね１６の付勢力に抗して第２軸部６を中心に時計回り方向に回動するが、第１リンク部材５は、回動しない。
【００２５】
その理由は、図４の状態から第１リンク部材５を第１軸部４を中心に反時計回り方向に回動させようとすると、図５（ａ）に示すように、第２フレキカバー１２の係合部１２ａとロックレバー１４の規制部１４ｂの斜線で示す部分が干渉するためである。このため、図４に示す状態から発光部９を押し込んで、第２リンク部材７を時計回り方向に回動させても、第２フレキカバー１２の係合部１２ａが第１カム面１２ｂでロックレバー１４の規制部１４ｂと接している間は、第１リンク部材５は回動することができない。すなわち、第１リンク部材５の回動が一時的に規制されることになる。
【００２６】
図５（ｂ）は、図４の状態から発光部９を押し込んで第２リンク部材７を１１０°時計回り方向に回動させた状態を示す図である。図５（ｂ）の状態では、第２フレキカバー１２の係合部１２ａのロックレバー１４の規制部１４ｂとの接触面は、第１カム面１２ｂから第２カム面１２ｃへ遷移する。
【００２７】
第２カム面１２ｃがロックレバー１４の規制部１４ｂと接している状態では、第２リンク部材７の回動に応じて第１リンク部材５も所定の量だけ回動することが可能になる。図５（ｂ）の状態からさらに発光部９を押し込むと、図５（ｃ）に示すように、第２フレキカバー１２のロックレバー１４との係合が解除される。
【００２８】
図５（ｃ）の状態では、第１リンク部材５、第２リンク部材７および発光部９それぞれが回動可能となり、リンク系の自由度が増して収納動作が不安定になるが、図４に示すポップアップ状態に対して既に３／４以上が折り畳まれている。このため、第１リンク部材５と第２リンク部材７のなす角度及び第２リンク部材７と発光部９のなす角度がそれぞれ約３０°と充分な鋭角になっている。したがって、図５（ｃ）に示す状態からの収納動作においても、ユーザは発光部９の押し込み操作のしにくさを感じることなく、安定して、かつ容易に押込み操作を行うことが可能である。
【００２９】
図６は、図５（ｃ）に示す状態から発光部９を更に押し込んだときのストロボユニット２の収納動作を説明する図である。図５（ｃ）に示す状態からさら発光部９を押し込むと、ロックレバー１４に設けられた爪部１４ｃと発光部９の保持部材１１に設けられたレバー係合部１１ｂとが接触する（図６（ｂ））。前述したように、ロックレバー１４は、回動穴１４ａを中心に回動可能に支持され、かつ不図示のバネ部材によって図６の反時計回り方向に付勢されている。
【００３０】
図６（ｂ）の状態からさらに発光部９を押し込むと、保持部材１１の係合部１１ｂの斜面部によってロックレバー１４の爪部１４ｃが押し上げられ、ロックレバー１４は、不図示のバネ部材の付勢力に抗して図６の時計回り方向に回動する（図６（ｃ），（ｄ））。
【００３１】
そして、ロックレバー１４の爪部１４ｃが保持部材１１の係合部１１ｂの斜面部を乗り越えると、図６（ｅ）に示すように、ロックレバー１４は、再度反時計回り方向に回動し、爪部１４ｃが保持部材１１の係合部１１ｂに係合する。これにより、カメラ本体１の内部に発光部９ひいてはストロボユニット２が収納されて図１（ａ）に示す状態になる。
【００３２】
図６（ｅ）の状態でユーザが発光部９から手を離しても、ロックレバー１４の不図示のバネ部材による反時計回り方向の付勢力によってロックレバー１４の爪部１４ｃと保持部材１１の係合部１１ｂの係合が維持され、ストロボユニット２の収納状態が維持される。
【００３３】
次に、図７及び図８を参照して、ストロボユニット２の収納位置から発光位置へのポップアップ動作について説明する。図７（ａ）は、図６（ｅ）に示すストロボユニット２の収納位置でのロックレバー１４を裏側から見た図である。図７（ａ）に示すように、ロック解除レバー３は、付勢バネ１８によって図中左方向に付勢されており、カメラ本体１に設けられた不図示の係止部によって図７（ａ）に示す位置で保持されている。
【００３４】
ロック解除レバー３には、係合ピン３ａが設けられており、ユーザがロック解除レバー３を図中右方向に操作すると、図７（ｂ）に示すように、係合ピン３ａがロックレバー１４に設けられた係合部１４ｄを押し上げる。これにより、ロックレバー１４は、不図示のバネ部材の付勢力に抗して図中反時計回り方向（付勢方向と反対方向）に回動する。
【００３５】
ロックレバー１４が回動すると、ロックレバー１４の爪部１４ｃと保持部材１１の係合部１１ｂの係合が解除され、第１〜３トーションばね１５〜１７の付勢力によって、ストロボユニット２は、図４（ａ）に示す発光位置へとポップアップ動作する。
【００３６】
図８は、ストロボユニット２が収納位置から発光位置へとポップアップする動作の途中の状態を示す図である。図８において、収納位置におけるロックレバー１４は、一点鎖線で示す位置で保持されている。したがって、仮にロックレバー１４がカメラ本体１に固定されて動かないと、図８に示す位置でロックレバー１４と第２フレキカバー１２の係合部１２ａが干渉して、ストロボユニット２の発光位置へのポップアップ動作ができなくなってしまう。ここで、ロックレバー１４は、カメラ本体１に対して回動可能に支持されており、ポップアップ動作時には、ロック解除レバー３の操作によって実線に示す位置まで回動退避している。このため、ストロボユニット２の発光位置へのポップアップ動作が途中で停止することはない。
【００３７】
以上説明したように、本実施形態では、収納動作の途中まで第１リンク部材５の回動が規制されて発光部９と第２リンク部材７の２軸の回動によりストロボユニット２の発光部９を押し込むことができる。そして、収納動作の最終段階で第１リンク部材５の回動規制が解除され、この状態で、ストロボユニット２の発光部９を収納位置まで押し込んでカメラ本体１の内部に収納することができる。これにより、３軸のリンク機構を用いて発光部９をポップアップ動作させるストロボユニット２であっても、発光位置にある発光部９を容易に押し込んでカメラ本体１の内部の収納位置に収納することができる。
【００３８】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３９】
１  カメラ本体
４  第１軸部
５  第１リンク部材
６  第２軸部
７  第２リンク部材
８  第３軸部
９  発光部
１２  第２フレキカバー
１２ａ  係合部
１４  ロックレバー
１４ｂ  規制部
１５〜１７  第１〜第３トーションばね
【図１】
2018036491.tif 000003
【図２】
2018036491.tif 000004
【図３】
2018036491.tif 000005
【図４】
2018036491.tif 000006
【図５】
2018036491.tif 000007
【図６】
2018036491.tif 000008
【図７】
2018036491.tif 000009
【図８】
2018036491.tif 000010